【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
ユーザにより選択されようとする取引対象を特定する特定手段と、
前記特定手段により特定される取引対象と同一又は関連し、且つ前記特定手段により特定される取引対象より前記ユーザにとって取引上有利な条件が対応付けられる取引対象を、前記ユーザにより過去に参照された取引対象に関する情報を記憶する記憶手段から抽出する抽出手段と、
前記抽出手段により抽出される前記取引対象が前記ユーザにより選択される前に、当該取引対象を前記ユーザに提示する提示手段と、
を備えることを特徴とする情報処理装置。
【請求項２】
前記記憶手段における前記取引対象の中で、現時点から過去所定時間以内に前記ユーザにより参照された前記取引対象の提示を制限する第１制限手段を更に備えることを特徴とする請求項１に記載の情報処理装置。
【請求項３】
前記記憶手段における前記取引対象の中で、現時点から過去に遡って所定件数以内の前記取引対象の提示を制限する第１制限手段を更に備えることを特徴とする請求項１に記載の情報処理装置。
【請求項４】
前記特定手段により特定された第１の前記取引対象より前記ユーザにとって取引上有利な条件が対応付けられる前記第２の前記取引対象が前記提示手段により前記ユーザに提示されたにも拘らず該第１の前記取引対象が前記ユーザにより選択された後に、前記ユーザにより新たに選択されようとする第３の前記取引対象が前記特定手段により特定されたとき、前記第３の前記取引対象が前記第２の前記取引対象より前記ユーザにとって取引上不利な条件が対応付けられ且つ前記第１の前記取引対象より前記ユーザにとって取引上有利な条件が対応付けられる場合に、前記第２の前記取引対象の提示を制限する第２制限手段を更に備えることを特徴とする請求項１乃至３の何れか一項に記載の情報処理装置。
【請求項５】
前記提示手段により提示された前記取引対象が前記ユーザにより選択された場合、前記特定手段により特定された前記取引対象の提供者に対して、該取引対象の代わりに前記提示手段により提示された前記取引対象が選択されたことを示す情報を通知する通知手段を更に備えることを特徴とする請求項１乃至４の何れか一項に記載の情報処理装置。
【請求項６】
前記取引対象に関する情報は、前記ユーザが取引した取引対象の取引履歴、所定の参照リストにユーザが登録した取引対象の登録履歴、及び前記ユーザが閲覧したページに配置された取引対象の閲覧履歴のうちの少なくとも何れか一つの履歴に含まれており、
前記特定手段は、前記取引又は前記登録のために前記選択されようとする前記取引対象を特定することを特徴とする請求項１乃至５の何れか一項に記載の情報処理装置。
【請求項７】
前記取引のために前記選択されようとする前記取引対象が特定される場合、前記抽出手段は、該特定される取引対象と同一又は関連し且つ該取引対象より前記ユーザにとって取引上有利な条件が対応付けられる取引対象を前記取引履歴から優先して抽出することを特徴とする請求項６に記載の情報処理装置。
【請求項８】
前記登録のために前記選択されようとする前記取引対象が特定される場合、前記抽出手段は、該特定される取引対象と同一又は関連し且つ該取引対象より前記ユーザにとって取引上有利な条件が対応付けられる取引対象を前記登録履歴から優先して抽出することを特徴とする請求項６に記載の情報処理装置。
【請求項９】
前記取引対象のそれぞれには、１以上の項目毎に条件が対応付けられており、
前記取引対象に対応付けられる前記項目のうちの１以上の前記項目に対応する条件に応じた値を集計する集計手段を更に備え、
前記抽出手段は、前記特定手段により特定される取引対象に対して前記集計手段により集計される値と、該特定される取引対象と同一又は関連する前記取引対象であって前記記憶手段における前記取引対象に対して前記集計手段により集計される値とを比較することにより、前記特定手段により特定される取引対象より前記ユーザにとって取引上有利な条件が対応付けられる前記取引対象を抽出することを特徴とする請求項１乃至８の何れか一項に記載の情報処理装置。
【請求項１０】
前記ユーザにより過去に参照された取引対象に関する情報に基づいて、複数種類の前記項目中で該ユーザが重視する項目を特定する項目特定手段を更に備え、
前記集計手段は、前記項目特定手段により特定される項目に対応する条件に応じた値に対する重みを、前記項目特定手段により特定されない項目に対応する条件に応じた値に対する重みよりも高く設定して前記集計を行うことを特徴とする請求項９に記載の情報処理装置。
【請求項１１】
コンピュータにより実行される情報処理方法であって、
ユーザにより選択されようとする取引対象を特定する特定ステップと、
前記特定ステップにより特定される取引対象と同一又は関連し、且つ前記特定ステップにより特定される取引対象より前記ユーザにとって取引上有利な条件が対応付けられる取引対象を、前記ユーザにより過去に参照された取引対象に関する情報を記憶する記憶手段から抽出する抽出ステップと、
前記抽出ステップにより抽出される前記取引対象が前記ユーザにより選択される前に、当該取引対象を前記ユーザに提示する提示ステップと、
を含むことを特徴とする情報処理方法。
【請求項１２】
コンピュータを、
ユーザにより選択されようとする取引対象を特定する特定手段、
前記特定手段により特定される取引対象と同一又は関連し、且つ前記特定手段により特定される取引対象より前記ユーザにとって取引上有利な条件が対応付けられる取引対象を、前記ユーザにより過去に参照された取引対象に関する情報を記憶する記憶手段から抽出する抽出手段、及び、
前記抽出手段により抽出される前記取引対象が前記ユーザにより選択される前に、当該取引対象を前記ユーザに提示する提示手段として機能させることを特徴とする情報処理プログラム。
【請求項１３】
コンピュータを、
ユーザにより選択されようとする取引対象を特定する特定手段、
前記特定手段により特定される取引対象と同一又は関連し、且つ前記特定手段により特定される取引対象より前記ユーザにとって取引上有利な条件が対応付けられる取引対象を、前記ユーザにより過去に参照された取引対象に関する情報を記憶する記憶手段から抽出する抽出手段、及び、
前記抽出手段により抽出される前記取引対象が前記ユーザにより選択される前に、当該取引対象を前記ユーザに提示する提示手段として機能させる情報処理プログラムがコンピュータ読み取り可能に記憶されていることを特徴とする記録媒体。
【手続補正２】
【補正対象書類名】明細書
【補正対象項目名】０００７
【補正方法】変更
【補正の内容】
【０００７】
上記課題を解決するために、請求項１に記載の発明は、ユーザにより選択されようとする取引対象を特定する特定手段と、前記特定手段により特定される取引対象と同一又は関連し、且つ前記特定手段により特定される取引対象より前記ユーザにとって取引上有利な条件が対応付けられる取引対象を、前記ユーザにより過去に参照された取引対象に関する情報を記憶する記憶手段から抽出する抽出手段と、前記抽出手段により抽出される前記取引対象が前記ユーザにより選択される前に、当該取引対象を前記ユーザに提示する提示手段と、を備えることを特徴とする。
【手続補正３】
【補正対象書類名】明細書
【補正対象項目名】００２７
【補正方法】変更
【補正の内容】
【００２７】
請求項１１に記載の発明は、コンピュータにより実行される情報処理方法であって、ユーザにより選択されようとする取引対象を特定する特定ステップと、前記特定ステップにより特定される取引対象と同一又は関連し、且つ前記特定ステップにより特定される取引対象より前記ユーザにとって取引上有利な条件が対応付けられる取引対象を、前記ユーザにより過去に参照された取引対象に関する情報を記憶する記憶手段から抽出する抽出ステップと、前記抽出ステップにより抽出される前記取引対象が前記ユーザにより選択される前に、当該取引対象を前記ユーザに提示する提示ステップと、を含むことを特徴とする。
【手続補正４】
【補正対象書類名】明細書
【補正対象項目名】００２８
【補正方法】変更
【補正の内容】
【００２８】
請求項１２に記載の情報処理プログラムの発明は、コンピュータを、ユーザにより選択されようとする取引対象を特定する特定手段、前記特定手段により特定される取引対象と同一又は関連し、且つ前記特定手段により特定される取引対象より前記ユーザにとって取引上有利な条件が対応付けられる取引対象を、前記ユーザにより過去に参照された取引対象に関する情報を記憶する記憶手段から抽出する抽出手段、及び、前記抽出手段により抽出される前記取引対象が前記ユーザにより選択される前に、当該取引対象を前記ユーザに提示する提示手段として機能させることを特徴とする。
【手続補正５】
【補正対象書類名】明細書
【補正対象項目名】００２９
【補正方法】変更
【補正の内容】
【００２９】
請求項１３に記載の記録媒体の発明は、コンピュータを、ユーザにより選択されようとする取引対象を特定する特定手段、前記特定手段により特定される取引対象と同一又は関連し、且つ前記特定手段により特定される取引対象より前記ユーザにとって取引上有利な条件が対応付けられる取引対象を、前記ユーザにより過去に参照された取引対象に関する情報を記憶する記憶手段から抽出する抽出手段、及び、前記抽出手段により抽出される前記取引対象が前記ユーザにより選択される前に、当該取引対象を前記ユーザに提示する提示手段として機能させる情報処理プログラムがコンピュータ読み取り可能に記憶されていることを特徴とする。